(57)【要約】【課題】施術者の手を介して被施術者に微弱電流を流すために用いられた場合に、施術者が足により電流の調整をしやすく、施術自由度を向上させることができ、どの位置に配置された電極が施術者に使用された場合でも、同じ施術者により同じ条件で電極が踏まれる限り、被施術者に対して同じように電流を流すことが可能な電圧印加装置を提供する。【解決手段】電圧印加装置１は、入力される交流電圧を降圧可能であり、降圧された交流電圧を出力するための対となる第１出力端子２１と第２出力端子２２とを備える電圧発生部２と、第１出力端子２１に接続された第１ケーブル３と、第１ケーブル３に接続された第１電極４と、第２出力端子２２に接続された第２ケーブル５と、第２ケーブル５の先端部に形成された分岐点部６と、分岐点部６から分岐する複数の分岐ケーブル７と、各分岐ケーブル７に接続された複数の板状の第２電極８とを有している。【選択図】図１
0003193996.tif 000002
【実用新案登録請求の範囲】
【請求項１】
入力される交流電圧を降圧可能であり、降圧された交流電圧を出力するための対となる第１出力端子と第２出力端子とを備える電圧発生部と、
上記第１出力端子に電気的に接続された第１ケーブルと、
該第１ケーブルの先端部に電気的に接続された第１電極と、
上記第２出力端子に電気的に接続された第２ケーブルと、
該第２ケーブルの先端部に形成された分岐点部と、
該分岐点部から分岐する複数の分岐ケーブルと、
該各分岐ケーブルのそれぞれの先端部に電気的に接続された複数の板状の第２電極と、
を有することを特徴とする電圧印加装置。
【請求項２】
上記複数の分岐ケーブルにおける各電気抵抗値は、略同一であることを特徴とする請求項１に記載の電圧印加装置。
【請求項３】
上記複数の分岐ケーブルにおける各ケーブル材質、各ケーブル長さ、および、各ケーブル導体径は、いずれも略同一であることを特徴とする請求項１または２に記載の電圧印加装置。
【請求項４】
上記第２電極の数は、２〜８個の範囲内にあることを特徴とする請求項１〜３のいずれか１項に記載の電圧印加装置。
【請求項５】
上記電圧発生部は、上記入力される交流電圧の周波数を、該入力される交流電圧の周波数よりも低い周波数に変換するための変調回路を有していることを特徴とする請求項１〜４のいずれか１項に記載の電圧印加装置。
【請求項６】
上記電圧発生部は、少なくとも周波数５〜２０Ｈｚの交流電圧を出力可能に構成されていることを特徴とする請求項１〜５のいずれか１項に記載の電圧印加装置。
【請求項７】
上記第２電極は、ステンレス製であることを特徴とする請求項１〜６のいずれか１項に記載の電圧印加装置。
【請求項８】
施術者の手を介して被施術者における施術部位に電流を流すために用いられ、
上記第１電極は、上記被施術者の体の一部に接触させて使用され、
上記第２電極は、裸足状態の上記施術者の足裏により踏まれて使用されることを特徴とする請求項１〜７のいずれか１項に記載の電圧印加装置。
【考案の詳細な説明】
【技術分野】
【０００１】
本考案は、電圧印加装置に関し、さらに詳しくは、美容、マッサージ等を目的として人体に微弱電流を流すために好適に使用可能な電圧印加装置に関する。
【背景技術】
【０００２】
従来、美容、マッサージ等の分野では、人体に流す微弱電流を得るために電圧印加装置が使用されている。
【０００３】
例えば、特許文献１には、エネルギーウェーブ発生器と、このエネルギーウェーブ発生器に電線によって連結された２つの電気伝導片（電極）とを有する健康美容器具（電圧印加装置）が開示されている。同文献には、一方の電気伝導片の上にマッサージを受ける者の足部を裸足の状態で置くとともに、他方の電気導電片を美容師（又はマッサージ師）が裸足で踏み、マッサージを受ける者に美容師（又はマッサージ師）の両手が接触することにより、マッサージの効能が提供される点が記載されている。
【先行技術文献】
【特許文献】
【０００４】
【特許文献１】実用新案登録第３１１９７８２号公報
【考案の概要】
【考案が解決しようとする課題】
【０００５】
しかしながら、従来技術は、以下の点で問題がある。すなわち、従来の電圧印加装置は、美容師やマッサージ師等の施術者によって踏まれる電極が１つしかない。そのため、上記電圧印加装置は、施術者による施術を受ける被施術者に対し、施術者が一か所に留まって施術せざるを得ない。それ故、施術者の姿勢が不安定となりやすく、足裏による電流の調整がし難い。また、被施術者の各施術部位に対して施術者が両手を使用して施術するには制約が多く、施術自由度が低い。
【０００６】
なお、上記に対し、施術者によって踏まれる電極を複数用意し、各電極を数珠つなぎに直列接続した構成を採用することが考えられる。ところが、このような構成は、各電極間を接続する中間電線の電気抵抗や各電極の電気抵抗により、出力端子側に配置された電極を使用した場合に比べ、出力端子から離れた位置に配置された電極を使用した場合の電流が弱くなるという難点がある。つまり、同じ施術者により同じ条件で電極が踏まれた場合であっても、どの位置に配置された電極が施術者により踏まれるかによって、被施術者に流すことができる電流が異なる。その結果、このような構成では、各施術部位の間で施術ムラが生じやすい。
【０００７】
本考案は、上記背景に鑑みてなされたものであり、施術者の手を介して被施術者に微弱電流を流すために用いられた場合に、施術者が足により電流の調整をしやすく、施術自由度を向上させることができ、さらに、どの位置に配置された電極が施術者に使用された場合でも、同じ施術者により同じ条件で電極が踏まれる限り、被施術者に対して同じように電流を流すことが可能な電圧印加装置を提供しようとするものである。
【課題を解決するための手段】
【０００８】
本考案の一態様は、入力される交流電圧を降圧可能であり、降圧された交流電圧を出力するための対となる第１出力端子と第２出力端子とを備える電圧発生部と、
上記第１出力端子に電気的に接続された第１ケーブルと、
該第１ケーブルの先端部に電気的に接続された第１電極と、
上記第２出力端子に電気的に接続された第２ケーブルと、
該第２ケーブルの先端部に形成された分岐点部と、
該分岐点部から分岐する複数の分岐ケーブルと、
該各分岐ケーブルのそれぞれの先端部に電気的に接続された複数の板状の第２電極と、
を有することを特徴とする電圧印加装置にある。
【考案の効果】
【０００９】
上記電圧印加装置によれば、被施術者の体の一部に第１電極を接触させるとともに、複数ある第２電極のうちの一つを裸足状態の施術者が足裏にて踏むことにより、電圧発生部より出力された交流電圧に基づく電流を、施術者の手を介して被施術者における施術部位に流すことができる。
【００１０】
ここで、上記電圧印加装置は、第２出力端子に電気的に接続された第２ケーブルの先端部に分岐点部が形成されており、この分岐点部から複数の分岐ケーブルが分岐されている。そして、各分岐ケーブルの先端部に第２電極がそれぞれ電気的に接続されている。そのため、上記電圧印加装置によれば、ベッド上に横になった被施術者の周囲を取り囲むようにして複数の第２電極を床等に配置することが可能となる。これにより、施術者は、被施術者の各施術部位に合わせて複数の第２電極間を移動しながら施術することが可能となる。その結果、施術者は、施術時に無理な姿勢で施術部位に手を当てる必要がなくなる。そのため、施術者は、安定した姿勢で施術することが可能となり、安定した姿勢でもって第２電極の踏み方を変えることが可能となるため、第２電極に接地させる足裏の接地面積や第２電極を踏み込む際の重量等を細かく調整することが可能となる。それ故、上記電圧印加装置によれば、施術者が足により電流の調整をしやすく、施術自由度を向上させることができる。
【００１１】
さらに、上記電圧印加装置によれば、複数ある各第２電極のうち、いずれの第２電極が施術者によって踏まれた場合であっても、同じ施術者により同じ条件で第２電極が踏まれる限り、被施術者に対して同じように電流を流すことができる。それ故、施術者は、各第２電極が配置されるそれぞれの場所において、各施術部位の間でムラの少ない施術を行うことが可能となる。
【図面の簡単な説明】
【００１２】
【図１】実施例１の電圧印加装置の概略構成を示す説明図である。
【図２】実施例１の電圧印加装置における電圧発生部の概略構成を示す説明図である。
【図３】図２における変調回路の詳細構成を示す説明図である。
【図４】実施例１の電圧印加装置の使用形態の一例を示す説明図である。
【図５】実施例１の電圧印加装置の使用形態の一例を示す他の説明図である。
【考案を実施するための形態】
【００１３】
上記電圧印加装置は、施術者の手を介して被施術者における施術部位に電流を流すために好適に用いることができる。この場合、第１電極は、被施術者の体の一部に接触させて使用される。また、第２電極は、裸足状態の施術者の足裏により踏まれて使用される。なお、上記裸足状態には、施術者が裸足である場合のみならず、裸足に導電性ソックス等が着用されることにより、裸足と同じように足裏を通じて電気を流すことができる状態も含まれる。
【００１４】
上記電圧印加装置において、電圧発生部は、具体的には、入力される交流電圧を複数の交流電圧に降圧可能であり、降圧された一の交流電圧を第１出力端子および第２出力端子より出力するように構成することができる。この場合には、出力の異なる各交流電圧に基づく各電流を、施術者の手を介して被施術者における施術部位に流すことが可能となる。なお、電圧発生部は、入力される交流電圧を１回または多段階で所定の交流電圧に降圧することができる。
【００１５】
上記電圧印加装置において、複数の分岐ケーブルにおける各電気抵抗値は、略同一であることが好ましい。この場合には、複数ある各第２電極のうち、いずれの第２電極が施術者によって踏まれた場合であっても、同じ施術者により同じ条件で第２電極が踏まれる限り、被施術者に対して同じように電流を流しやすくなる。なお、各電気抵抗値が略同一であるとは、各電気抵抗値が同一である場合のみならず、上述のようにいずれの第２電極を使用した場合でも被施術者に対して同じように電流を流すことができるために各電気抵抗値が同等であるとみなすことができる実質的同一である場合も含まれる。
【００１６】
上記電圧印加装置において、複数の分岐ケーブルにおける各ケーブル材質、各ケーブル長さ、および、各ケーブル導体径は、略同一であることが好ましい。この場合には、複数の分岐ケーブルにおける各電気抵抗値を略同一としやすい。また、各ケーブル材質、各ケーブル長さ、および、各ケーブル導体径が略同一である分岐ケーブルが複数用いられるため、電圧印加装置の製造コストを低減しやすくなる。なお、各ケーブル材質、各ケーブル長さ、および、各ケーブル導体径が略同一であるとは、複数の分岐ケーブルにおける各電気抵抗値を略同一とすることが可能な各ケーブル材質、各ケーブル長さ、および、各ケーブル導体径の範囲をいう。
【００１７】
上記電圧印加装置において、第２電極の数は、具体的には、２〜８個の範囲内とすることができる。第２電極の数は、好ましくは、３個以上、より好ましくは、４個以上とすることができる。この場合には、ベッド上に横になった被施術者の周囲を万遍なく取り囲むように第２電極を配置しやすくなる。そのため、施術者が各第２電極間を移動しやすくなり、施術者が安定した姿勢を保持しやすい位置をより多く確保しやすくなる。また、第２電極の数は、好ましくは、７個以下、より好ましくは、６個以下とすることができる。第２電極の数が多くなり過ぎると、電圧印加装置の製造コストや第２電極の配設に手間がかかる。第２電極の数の上限が上述した範囲内であれば、上記問題が生じるのを抑制しやすくなる。
【００１８】
上記電圧印加装置において、電圧発生部は、入力される交流電圧の周波数を、入力される交流電圧の周波数よりも低い周波数に変換するための変調回路を有することができる。この場合には、入力される交流電圧の周波数とは異なる、例えば、人体により適した周波数を有する交流電圧を出力することが可能になる。そのため、この場合には、変調回路を有さない場合に比べ、出力される交流電圧の周波数の幅を拡大することができる。それ故、この場合には、より一層、施術自由度が高い電圧印加装置が得られる。
【００１９】
上記電圧印加装置において、電圧発生部は、少なくとも周波数５〜２０Ｈｚの交流電圧を出力可能に構成されているとよい。この場合には、α波あるいはα波に近い周波数の交流電圧を出力することができる。そのため、この場合には、施術者は、被施術者がよりリラックスした状態で施術を行うことができる。なお、上記周波数の交流電圧は、入力される交流電圧の周波数を上記変調回路を介して変換することにより実現することができる。
【００２０】
上記周波数は、好ましくは、６Ｈｚ以上、より好ましくは、６．５Ｈｚ以上、さらに好ましくは、７Ｈｚ以上とすることができる。また、上記周波数は、好ましくは、１８Ｈｚ以下、より好ましくは、１６Ｈｚ以下、さらに好ましくは、１４Ｈｚ以下、さらにより好ましくは、１３Ｈｚ以下とすることができる。
【００２１】
上記電圧印加装置において、第２電極は、ステンレス製とすることができる。この場合には、電圧印加装置の使用時に第２電極に錆等が生じ難く、また、電気伝導度が適度であるので、メンテナンス性に優れ、上述した施術に使用しやすい電圧印加装置が得られる。
【００２２】
なお、上述した各構成は、上述した各作用効果等を得るなどのために必要に応じて任意に組み合わせることができる。
【実施例】
【００２３】
以下、実施例の電圧印加装置について、図面を用いて説明する。なお、同一部材については同一の符号を用いて説明する。
【００２４】
（実施例１）
実施例１の電圧印加装置について、図１〜図５を用いて説明する。図１〜図５に示すように、本例の電圧印加装置１は、入力される交流電圧を降圧可能であり、降圧された交流電圧を出力するための対となる第１出力端子２１と第２出力端子２２とを備える電圧発生部２と、第１出力端子２１に電気的に接続された第１ケーブル３と、第１ケーブル３の先端部に電気的に接続された第１電極４と、第２出力端子２２に電気的に接続された第２ケーブル５と、第２ケーブル５の先端部に形成された分岐点部６と、分岐点部６から分岐する複数の分岐ケーブル７と、各分岐ケーブル７のそれぞれの先端部に電気的に接続された複数の板状の第２電極８と、を有している。以下、これを詳説する。
【００２５】
本例において、電圧印加装置１は、図５に示されるように、施術者Ｓの手Ｓ１を介して被施術者Ｃにおける施術部位に電流を流すために用いられる。なお、図５では、便宜上、電圧印加装置の一部分のみが記載されている。
【００２６】
具体的には、例えば、被施術者Ｃは、うつ伏せまたは仰向けの状態でベッド９１上にて横になって施術者Ｓによる施術を受けることができる。第１電極４は、被施術者Ｃの体の一部に接触させて使用される。本例では、第１電極４は、横になった被施術者Ｃの腹囲部分Ｃ１に接触させて使用される。第１電極４は、金属製の布地がマット状に形成されてなる。第１電極４の大きさは、縦１５０ｍｍ×横２５０ｍｍである。
【００２７】
一方、第２電極８は、裸足状態の施術者Ｓの足裏Ｓ２により踏まれて使用される。本例では、第２電極８の数は、５個である。したがって、分岐ケーブル７の数は、５本である。各第２電極８は、いずれも同じ材質、形状のステンレス板よりなる。各第２電極８の大きさは、縦１５５ｍｍ×横２６５ｍｍ×厚み１ｍｍである。本例では、各第２電極８は、図４に示されるように、被施術者Ｃを取り囲むようにベッド９１周囲に配置され、片面側が床面に露出するように床９２に埋設されている。なお、図４中、第２ケーブル５、分岐ケーブル７を示す破線は、床９２に埋設されていることを表している。
【００２８】
本例において、電圧発生部２は、具体的には、交流電源２３より入力される交流電圧を降圧するための回路部２４を有している。回路部２４は、電源部２４１と、トランス部２４２と、抵抗部２４３と、切り替えスイッチ部２４４とを有している。なお、本例では、交流電源２３は、家庭用の交流１００Ｖ（５０／６０Ｈｚ）である。また、本例における回路部２４は、さらに、変調回路２４５を有している。
【００２９】
電源部２４１は、外部の交流電源２３に接続するためのコンセント２４１ｂと、電源スイッチ２４１ａとを有している。上記交流電源２３に電気的に接続されて電源スイッチ２４１ａがＯＮにされることにより、電源部２４１に交流１００Ｖ（５０/６０Ｈｚ）の交流電圧が入力される。トランス部２４２は、一次側にて電源部２４１と接続され、一次側に入力された上記交流電圧を複数の交流電圧に降圧し、二次側から出力可能に構成されている。抵抗部２４３は、トランス部２４２の二次側に接続されている。本例では、具体的には、抵抗部２４３は、第１電気抵抗２４３ａ、第２電気抵抗２４３ｂ、第３電気抵抗２４３ｃ、および、第４電気抵抗２４３ｄを有している。なお、抵抗部２４３は、約１００Ω程度とされており、後述する切り替えスイッチ部２４４による切り替えの際の短絡を防ぐ役割等を有している。本例では、上記構成により、入力された交流電圧が、３６Ｖ、５５Ｖ、７２Ｖ、９０Ｖの４段階の交流電圧に降圧されるようになっている。
【００３０】
抵抗部２４３の下流側端部は、切り替えスイッチ部２４４に接続されている。切り替えスイッチ部２４４は、具体的には、２回路４接点のロータリースイッチである。本例では、電圧発生部２は、切り替えスイッチ部２４４の切り替え操作により、上述した４段階の交流電圧から一の交流電圧を選択可能とされており、４段階の出力の異なる交流電圧に基づく４段階の強弱の異なる交流電流を流すことが可能とされている。なお、切り替えスイッチ部２４４は、図示しない出力インジケータ用の回路に接続されている。本例では、切り替えスイッチ部２４４により選択された出力電圧を示すために、各出力電圧によって異なる色にて点灯するＬＥＤランプを４つ有している。なお、このＬＥＤランプは、整流された直流電流によって点灯するよう構成されている。
【００３１】
本例では、電圧発生部２は、上記入力される交流電圧の周波数を、当該入力される交流電圧の周波数よりも低い周波数に変換するための変調回路２４５を有している。
【００３２】
変調回路２４５は、具体的には、切り替えスイッチ部２４４の下流側端部に接続されている。変調回路２４５は、複数の電子リレー２４５ａ〜２４５ｄと各電子リレー２４５ａ〜２４５ｄの下流側に接続され、抵抗値がそれぞれ異なる各電気抵抗２４６ａ〜２４６ｄとを備えた変調部２４５Ａと、オペレーションアンプ２４５Ｂと、マイコン部２４５Ｃとを有している。オペレーションアンプ２４５Ｂは、切り替えスイッチ部２４４により選択された所定の交流電圧における波形のゼロ点で電子リレー２４５ａ〜２４５ｄの切り替えを行うために、マイコン部２４５Ｃに安全に交流電圧を入力する役割を有している。マイコン部２４５Ｃは、オペレーションアンプ２４５Ｂより入力される交流電圧に基づき、電子リレー２４５ａ〜２４５ｄの切り替えのタイミングを制御する。本例では、電圧発生部２は、上記変調回路２４５を有することにより、周波数が７〜１４Ｈｚの範囲内にある交流電圧を、第１出力端子２１および第２出力端子２２を介して出力可能とされている。
【００３３】
なお、本例では、切り替えスイッチ部２４４と変調回路２４５との間に、保護回路部２４６が設けられており、設定を超える過電流が人体に流れるのを防止可能とされている。保護回路部２４６は、具体的には、５０００Ω程度の電気抵抗を有するパイロットランプを備えており、最大２０ｍＡの電流で保護機能が作用するように構成されている。
【００３４】
本例において、第２ケーブル５の一部、分岐点部６、および、分岐ケーブル７は、ベッド９１が載置される床９２内に埋設されている。分岐点部６は、ベッド９１下の床面領域の略中央部における床９２内に配置されている。本例では、分岐点部６は、コネクタより構成されている。
【００３５】
複数の分岐ケーブル７における各電気抵抗値は、略同一とされている。本例では、複数の分岐ケーブル７における各ケーブル材質、各ケーブル長さ、および、各ケーブル導体径を、いずれも略同一とすることにより、各分岐ケーブル７における各電気抵抗値が略同一とされている。
【００３６】
次に、本例の電圧印加装置の操作方法の一例について説明する。なお、本例の電圧印加装置の操作方法は、以下に限定されるものではない。
【００３７】
第１電極４が載置されたベッド９１上に被施術者Ｃがうつ伏せ状態で横になることにより、被施術者Ｃの腹囲部分Ｃ１と第１電極４とを接触させる。次いで、交流電源２３に接続された電圧発生部２の電源スイッチ２４１ａをＯＮにし、切り替えスイッチ部２４４を回して所望の出力電圧に設定する。次いで、施術用のジェルが任意に塗られた被施術者Ｃの施術部位に、施術者Ｓが手をのせる。次いで、裸足状態の施術者Ｓがゆっくりと足裏Ｓ２、例えば、かかと部分にて、施術部位に近い位置に配置された一の第２電極８を踏み始める。これにより、電圧印加装置１、施術者Ｓ、および、被施術者Ｃによって一つの閉じた回路が構成され、施術者Ｓの手Ｓ１を介して被施術者Ｃにおける施術部位に所定の電流が流れる。つまり、上記回路では、第２電極８と施術者Ｓの足裏Ｓ２とによりスイッチが構成される。
【００３８】
施術者Ｓは、施術部位の範囲、体積等に応じて、第２電極８の踏み方を変えることにより、被施術者Ｃに流れる電流の強弱を調節することができる。例えば、足裏Ｓ２と第２電極８との接地面積、踏み込み重量が大きくなれば、流れる電流が大きくなり、足裏Ｓ２と第２電極８との接地面積、踏み込み重量が小さくなれば、流れる電流が小さくなる。
【００３９】
次に、本例の電圧印加装置の作用効果について説明する。
【００４０】
上記電圧印加装置１によれば、被施術者Ｃの体の一部に第１電極４を接触させるとともに、複数ある第２電極８のうちの一つを裸足状態の施術者Ｓが足裏Ｓ２にて踏むことにより、電圧発生部２より出力された交流電圧に基づく電流を、施術者Ｓの手Ｓ１を介して被施術者Ｃにおける施術部位に流すことができる。
【００４１】
ここで、上記電圧印加装置１は、第２出力端子２２に電気的に接続された第２ケーブル５の先端部に分岐点部６が形成されており、この分岐点部６から複数の分岐ケーブル７が分岐されている。そして、各分岐ケーブル７の先端部に第２電極８がそれぞれ電気的に接続されている。そのため、上記電圧印加装置１によれば、ベッド９１上に横になった被施術者Ｃの周囲を取り囲むようにして複数の第２電極８を床９２に配置することが可能となる。これにより、施術者Ｓは、被施術者Ｃの各施術部位に合わせて複数の第２電極８間を移動しながら施術することが可能となる。その結果、施術者Ｓは、施術時に無理な姿勢で施術部位に手Ｓ１を当てる必要がなくなる。そのため、施術者Ｓは、安定した姿勢で施術することが可能となり、安定した姿勢でもって第２電極８の踏み方を変えることが可能となるため、第２電極８に接地させる足裏Ｓ２の接地面積や第２電極８を踏み込む際の重量等を細かく調整することが可能となる。それ故、上記電圧印加装置１によれば、施術者Ｓが足により電流の調整をしやすく、施術自由度を向上させることができる。
【００４２】
さらに、上記電圧印加装置１によれば、複数ある各第２電極８のうち、いずれの第２電極８が施術者Ｓによって踏まれた場合であっても、同じ施術者Ｓにより同じ条件で第２電極８が踏まれる限り、被施術者Ｃに対して同じように電流を流すことができる。それ故、施術者Ｓは、各第２電極８が配置されるそれぞれの場所において、各施術部位の間でムラの少ない施術を行うことが可能となる。
【００４３】
以上、本考案の実施例について詳細に説明したが、本考案は上記実施例に限定されるものではなく、本考案の趣旨を損なわない範囲内で種々の変更が可能である。例えば、上記実施例では、電圧発生部が変調回路を有する例を示したが、変調回路を省略することも可能である。
【符号の説明】
【００４４】
１  電圧印加装置
２  電圧発生部
２１  第１出力端子
２２  第２出力端子
３  第１ケーブル
４  第１電極
５  第２ケーブル
６  分岐点部
７  分岐ケーブル
８  第２電極
【図１】
0003193996.tif 000003
【図２】
0003193996.tif 000004
【図３】
0003193996.tif 000005
【図４】
0003193996.tif 000006
【図５】
0003193996.tif 000007